(57)【特許請求の範囲】
【請求項１】
基礎と、柱を鉄骨鉄筋コンクリート造とした該基礎上の最下階と、柱を鉄筋コンクリート造としたそれより上の上階とを含み、各階の梁を鉄骨梁とした複合構築物を構築するための、複合構造のプレキャストコンクリート柱部材において、
該プレキャストコンクリート柱部材は、前記複合構築物の複数階の柱を上下に連続させて一体に構成したプレキャストコンクリート部材であり、
該プレキャストコンクリート柱部材は、前記基礎に埋設される柱脚部を備えており、
該プレキャストコンクリート柱部材の前記最下階の部分は、鉄骨梁を接合するための鉄骨梁接合用ブラケットを突設した鉄骨柱を備えており、
該プレキャストコンクリート柱部材は、前記複合構築物の複数階に亘って延在する柱筋と、同柱筋を囲繞する帯筋とよりなる補強鉄筋を備えており、
該プレキャストコンクリート柱部材は、柱頭部に、前記複合構築物の屋根を支持する鉄骨梁を接合するための梁鉄骨を備えており、
該プレキャストコンクリート柱部材は、工場または現場サイトでコンクリート成形して構成されている、
ことを特徴とする複合構造のプレキャストコンクリート柱部材。
【請求項２】
前記複合構造のプレキャストコンクリート柱部材の柱脚部の４方に、スタッドボルトを植設して構成された請求項１記載の複合構造のプレキャストコンクリート柱部材。
【発明の詳細な説明】
【０００１】
【産業上の利用分野】
本発明は柱が鉄筋鉄骨コンクリート造（以下ＳＲＣ造という）及び鉄筋コンクリート造（以下ＲＣ造という）からなる複合構造のプレキャストコンクリート柱（以下ＰＣ柱という）部材と梁が鉄骨造（以下Ｓ造という）の複合構造の柱部材及び同柱部材による構築物の構築方法に係るものである。
【０００２】
【従来の技術】
従来、建築物の躯体構造としてＳＲＣ造、あるいはＲＣ造、Ｓ造があり、設計上、１階の柱がＳＲＣ造で２階がＲＣ造で、梁がＳ造からなる複合構造の構築方法においては、基礎柱を構築したのち、１階柱の鉄骨柱を建て鉄骨梁を架構して鉄骨梁に床となるデッキプレートを型枠代りに取り付け、柱に型枠を組立てた後、柱コンクリートと床コンクリートを打設して１階を構築し、次いで前記１階の柱筋と接合して２階の柱筋と同柱筋を囲繞する帯筋を組立て、柱頭部に梁架構用の鉄骨ブラケットを取付け、柱に型枠を組立てたあと、同柱及び床コンクリート打設して１階部分を構築し、次いで１階の柱筋と接合して２階の柱筋と同柱筋を囲繞する帯筋を組立て、柱頭部に梁架構用の鉄骨ブラケットを取り付け、柱に型枠を組立てたあとコンクリートを打設し、前記鉄骨ブラケット間に鉄骨梁を架構し、屋根あるいは床を設置して構築している。
【０００３】
【発明が解決しようとする課題】
しかしながら前記従来技術においては次のような問題があった。
即ち柱においてはＳＲＣ造柱部とＲＣ造柱部と、柱頭部の梁架構用の鉄骨ブラケットとが複合された構造体からなり、これらを施工するには前記したように鉄骨柱の建方、鉄筋の組立て、型枠の組立、解体等が現場作業によって行われるので、各作業工程毎に専門の作業員を必要とし、各専門職の技量によって施工精度のばらつきを生じ、更に互いの作業が干渉しないように予め工程を組んで施工されるため、相当の日程を要し、且つ天候にも左右され、工期が遅延する要因となっている。
【０００４】
本発明は前記従来技術の有する問題点に鑑みて提案されたもので、その目的とするところは、柱部材を工業化によって製作して組立て、現場作業を極力省略して作業効率を向上し、工期の短縮を図る複合構造のＰＣ柱部材を提供する点にある。
【０００５】
【課題を解決するための手段】
前記の目的を達成するため、本発明に係る複合構造のＰＣ柱部材は、基礎と、柱を鉄骨鉄筋コンクリート造とした該基礎上の最下階と、柱を鉄筋コンクリート造としたそれより上の上階とを含み、各階の梁を鉄骨梁とした複合構築物を構築するための、複合構造のＰＣ柱部材において、該ＰＣ柱部材は、前記複合構築物の複数階の柱を上下に連続させて一体に構成したＰＣ部材であり、該ＰＣ柱部材は、前記基礎に埋設される柱脚部を備えており、該ＰＣ柱部材の前記最下階の部分は、鉄骨梁を接合するための鉄骨梁接合用ブラケットを突設した鉄骨柱を備えており、該ＰＣ柱部材は、前記複合構築物の複数階に亘って延在する柱筋と、同柱筋を囲繞する帯筋とよりなる補強鉄筋を備えており、該ＰＣ柱部材は、柱頭部に、前記複合構築物の屋根を支持する鉄骨梁を接合するための梁鉄骨を備えており、該ＰＣ柱部材は、工場または現場サイトでコンクリート成形して構成されていることを特徴とする。
【０００６】
請求項２の発明は前記複合構造のＰＣ柱部材の柱脚部の４方に、スタッドボルトを植設して構成されている。
【０００７】
【作用】
本発明に係る複合構造のＰＣ柱部材は、複合構築物の複数階の柱を上下に連続して構成した部材であり、基礎に埋設される柱脚部を備えており、このＰＣ柱部材の最下階の部分は、鉄骨梁を接合するための鉄骨梁接合用ブラケットを突設した鉄骨柱を備えており、また、このＰＣ柱部材は、複合構築物の複数階に亘って延在する柱筋と、同柱筋を囲繞する帯筋とよりなる補強鉄筋を備えており、柱頭部に、前記複合構築物の屋根を支持する鉄骨梁を接合するための梁鉄骨を備えており、工場または現場サイトでコンクリート成形して構成され、それによって、精度の高い品質管理により高品質のＰＣ柱が得られるものである。
【０００８】
請求項２の発明は、前記複合構造のＰＣ柱部材の柱脚部の４方に、スタッドボルトを植設して構成したことにより、同各スタッドボルトを介して柱脚部と基礎とが一体化され、スタッドボルトの剪断抵抗によって、柱脚部の曲げ剛性が高められる。
【０００９】
【実施例】
以下、本発明を図示の実施例について説明する。
図１は本発明に係る複合構築物を示す縦断面図で、１階がＳＲＣ造、２階は一部を除きＲＣ造で、最上階はＳ造である。
図中Ａは建築物で、基礎Ｋ、地中梁Ｋ1 、複数階の柱を上下に連続させて一体に構成したＰＣ柱部材Ｃ、１階の鉄骨梁Ｇ、屋根Ｒを支持する梁である２階の鉄骨梁Ｇ’、２階の床Ｓ、及び屋根Ｒによって構成されている。図中Ｆは１階の床、Ｐは杭である。
【００１０】
図２及び図３は夫々前記ＰＣ柱部材Ｃの骨格及び完成状態を示し、ＰＣ柱部材Ｃは基礎Ｋに埋設される柱脚部ｔを含み、１階鉄骨梁接合用ブラケット２が水平に突設されたＨ形鋼より構成された鉄骨柱１に複数階の長さに亘って柱主筋３と、同柱主筋３を囲繞する帯筋４を配筋し、柱頭部には、屋根Ｒを支持する鉄骨梁Ｇ’を接合するための梁鉄骨５を設けて構成され、このように構成された柱躯体の鉄骨柱１と柱主筋３及び帯筋４にコンクリート６が打設、被覆されている。更に柱脚部におけるＨ形鋼製鉄骨柱１の相対するフランジにスタッドボルト７が植立され、同鉄骨柱１のウェブと平行に配設され、且つスタッドボルト８が植立設された補強板９と、前記鉄骨柱１の相対するフランジとの間に亘って、アングル状の補強鉄骨材１０が接合されている。
【００１１】
次に前記複合構造のＰＣ柱部材Ｃを使用して構築物を構築する工程について説明する。
構造物の基礎地盤に杭Ｐを施工したのち、基礎地盤まで掘削して柱下部に柱の基礎Ｋを先行して構築し、相隣る同基礎Ｋ間にＰＣ地中梁Ｋ1 を設置するとともに、前記基礎Ｋ上にＰＣ柱部材Ｃを立設する。この際、柱脚部ｔは前記スタッドボルト７，８によって基礎Ｋのコンクリートに一体に定着される。
【００１２】
次いで相隣るＰＣ柱部材Ｃ間に１階の鉄骨梁Ｇを架構し、前記鉄骨梁Ｇ間に２階の床Ｓを構築し、２階の鉄骨梁Ｇ’を架設するとともに、屋上階に屋根Ｒを架設し、掘削地盤を埋戻すとともに１階床Ｆのコンクリートを打設する。
【００１３】
【発明の効果】
本発明に係る複合構造のＰＣ柱部材は、複合構築物の複数階の柱を上下に連続させて一体に構成したＰＣ部材であり、基礎に埋設される柱脚部を備えており、このＰＣ柱部材の最下階の部分は、鉄骨梁を接合するための鉄骨梁接合用ブラケットを突設した鉄骨柱を備えており、また、このＰＣ柱部材は、複合構築物の複数階に亘って延在する柱筋と、同柱筋を囲繞する帯筋とからなる補強筋を備えており、柱頭部には、前記複合構築物の屋根を支持する鉄骨梁を接合するための梁鉄骨を備えており、工場または現場サイトでコンクリート成形して構成されるものであるので、柱脚部を介して基礎に確固と埋設定着され、前記各ブラケット及び柱頭部の鉄骨梁接合用梁を介して各階鉄骨梁及び頂部鉄骨梁の接合及び同梁上の各階床並に屋根部の施工が容易に行なわれ、この柱部材が工場または現場サイトでコンクリート成形してＰＣ柱部材とされることによって、現場施工のように多くの作業員、特に専門職を要することがなく、複数階のＰＣ柱部材が工場または現場サイトで工業化手法によって部材化されることによって、精度の高い品質管理によって高品質なＰＣ柱が得られるものである。
【００１４】
請求項２の発明は、前記複合構造のＰＣ柱部材の柱脚部の４方にスタッドボルトが植設されているので、柱脚部と基礎とが一体化され、スタッドボルトの剪断抵抗によって、柱脚部の曲げ剛性が増大される。
【図面の簡単な説明】
【図１】  本発明に係る方法によって構築された構築物の縦断面図である。
【図２】  本発明に係る複合構造のＰＣ柱部材の鉄骨柱及び柱鉄筋を示す正面図である。
【図３】  図２のＰＣ柱部材の完成された状態を示す正面図である。
【図４】  図２の矢視イ−イ図である。
【図５】  図２の矢視ロ−ロ図である。
【図６】  図２の矢視ハ−ハ図である。
【図７】  図２の矢視ニ−ニ図である。
【図８】  図２の矢視ホ−ホ図である。
【符号の説明】
Ａ      建築物
Ｃ      ＰＣ柱部材
Ｆ      １階床
Ｇ      １階の鉄骨梁
Ｇ’    ２階の鉄骨梁
Ｋ      基礎
Ｋ’    ＰＣ地中梁
Ｐ      杭
Ｒ      屋根
Ｓ      ２階床
ｔ      柱脚部
１      鉄骨柱
２      鉄骨梁接合用ブラケット
３      柱主筋
４      帯筋
５      梁鉄骨
６      コンクリート
７      スタッドボルト
８      スタッドボルト
９      補助板
１０    補強鉄骨材
【図１】
0003716374.tif 000002
【図２】
0003716374.tif 000003
【図３】
0003716374.tif 000004
【図４】
0003716374.tif 000005
【図５】
0003716374.tif 000006
【図６】
0003716374.tif 000007
【図７】
0003716374.tif 000008
【図８】
0003716374.tif 000009